(57)【要約】    【課題】  警備会社への委託警備を解除した場合にも防犯効果を確保することができるセキュリティーシステムを提供すること。    【解決手段】  本発明では、屋内外の警備を行うセキュリティーシステムにおいて、屋内に設置して異常を検出する制御装置と警備会社に設置した監視装置と予め設定した通信端末装置とを電子通信回線網で接続し、制御装置は、異常発生時に監視装置へ通報する委託警備モードと、異常発生時に通信端末装置へ通報する自主防犯モードとに切り替え可能に構成することにした。また、前記監視装置は、制御装置が委託警備モードに設定されている時間を計測し、その時間に応じた警備費用を課金するように構成した。また、前記制御装置は、異常発生時や帰宅検出時に通信端末装置又は監視装置へ通報した後に、通信端末装置又は監視装置との間で双方向対話形式の通信ができるように構成した。【選択図】      図１
2007011669.tif 000002
【特許請求の範囲】
【請求項１】
屋内外の警備を行うセキュリティーシステムにおいて、
屋内に設置して異常を検出する制御装置と警備会社に設置した監視装置と予め設定した通信端末装置とを電子通信回線網で接続し、
制御装置は、異常発生時に監視装置へ通報する委託警備モードと、異常発生時に通信端末装置へ通報する自主防犯モードとに切り替え可能に構成したことを特徴とするセキュリティーシステム。
【請求項２】
前記監視装置は、制御装置が委託警備モードに設定されている時間を計測し、その時間に応じた警備費用を課金するように構成したことを特徴とする請求項１に記載のセキュリティーシステム。
【請求項３】
前記制御装置は、異常発生時に通信端末装置又は監視装置へ通報した後に、通信端末装置又は監視装置との間で双方向対話形式の通信ができるように構成したことを特徴とする請求項１又は請求項２に記載のセキュリティーシステム。
【請求項４】
前記制御装置は、使用者の帰宅を検出した後に通信端末装置又は監視装置へ通報し、その後、通信端末装置又は監視装置との間で双方向対話形式の通信ができるように構成したことを特徴とする請求項１〜請求項３のいずれかに記載のセキュリティーシステム。
【請求項５】
屋内外の警備を行うセキュリティーシステムにおいて使用される制御装置であって、屋内に設置して異常を検出する制御装置において、
警備会社に設置した監視装置と予め設定した通信端末装置とに電子通信回線網で接続し、異常発生時に監視装置へ通報する委託警備モードと、異常発生時に通信端末装置へ通報する自主防犯モードとに切り替え可能に構成したことを特徴とするセキュリティーシステムにおける制御装置。
【請求項６】
異常発生時に通信端末装置又は監視装置へ通報した後に、通信端末装置又は監視装置との間で双方向対話形式の通信ができるように構成したことを特徴とする請求項５に記載のセキュリティーシステムにおける制御装置。
【請求項７】
使用者の帰宅を検出した後に通信端末装置又は監視装置へ通報し、その後、通信端末装置又は監視装置との間で双方向対話形式の通信ができるように構成したことを特徴とする請求項５又は請求項６に記載のセキュリティーシステムにおける制御装置。
【発明の詳細な説明】
【技術分野】
【０００１】
本発明は、屋内外の警備を行うセキュリティーシステム及び同システムにおける制御装置に関するものである。
【背景技術】
【０００２】
近年、会社や一般家庭を対象として屋内の警備を行うセキュリティーシステムが普及してきている。
【０００３】
このセキュリティーシステムでは、会社や家庭などの屋内に制御装置を設置するとともに、この制御装置に屋内に設置した火災検出センサーや扉や窓の開閉検出センサーを接続する一方、警備を委託する委託警備会社に監視装置を設置し、この監視装置と制御装置とを電子通信回線網で接続した構成となっていた。
【０００４】
そして、屋内に設置したセンサーによって制御装置が異常を検出した場合には、制御装置から監視装置に通知され、監視装置を設置した委託警備会社が制御装置を設置した会社や家庭を警備するようになっていた。
【０００５】
この委託警備は、通常は２４時間体制で警備されるようになっていたが、これでは、昼間などのように屋内に使用者が居て委託警備の必要がない場合にまで委託警備のための費用を支払わなければならず、使用者に割高感を与えるおそれがあった。
【０００６】
そこで、特許文献１に開示されているように、委託警備の必要がない場合には警備を解除できるようにし、解除した時間分だけ警備費用を減額するようにしたセキュリティーシステムが考え出されている。
【特許文献１】特開２００３−２４２５７５号公報
【発明の開示】
【発明が解決しようとする課題】
【０００７】
ところが、特許文献１に開示されているセキュリティーシステムでは、委託警備を解除してしまうと、制御装置が異常を検出した場合に、屋内に居る者にしか異常が通知されず、屋外に居る者には異常の発生が通知されないようになっていた。
【０００８】
そのため、たとえば、老人や子供を屋内に残して短時間だけ外出するような場合や、近くに短時間だけ外出するような場合に、委託警備を解除していると警備が全くなされずに危険な状態となって防犯効果が低減してしまい、一方、委託警備を解除していないと２４時間体制の警備と同様に警備費用が高くなってしまうといった問題があった。
【課題を解決するための手段】
【０００９】
そこで、請求項１に係る本発明では、屋内外の警備を行うセキュリティーシステムにおいて、屋内に設置して異常を検出する制御装置と警備会社に設置した監視装置と予め設定した通信端末装置とを電子通信回線網で接続し、制御装置は、異常発生時に監視装置へ通報する委託警備モードと、異常発生時に通信端末装置へ通報する自主防犯モードとに切り替え可能に構成することにした。
【００１０】
また、請求項２に係る本発明では、前記請求項１に係る本発明において、前記監視装置は、制御装置が委託警備モードに設定されている時間を計測し、その時間に応じた警備費用を課金するように構成することにした。
【００１１】
また、請求項３に係る本発明では、前記請求項１又は請求項２に係る本発明において、前記制御装置は、異常発生時に通信端末装置又は監視装置へ通報した後に、通信端末装置又は監視装置との間で双方向対話形式の通信ができるように構成することにした。
【００１２】
また、請求項４に係る本発明では、前記請求項１〜請求項３のいずれかに係る本発明において、前記制御装置は、使用者の帰宅を検出した後に通信端末装置又は監視装置へ通報し、その後、通信端末装置又は監視装置との間で双方向対話形式の通信ができるように構成することにした。
【００１３】
また、請求項５に係る本発明では、屋内外の警備を行うセキュリティーシステムにおいて使用される制御装置であって、屋内に設置して異常を検出する制御装置において、警備会社に設置した監視装置と予め設定した通信端末装置とに電子通信回線網で接続し、異常発生時に監視装置へ通報する委託警備モードと、異常発生時に通信端末装置へ通報する自主防犯モードとに切り替え可能に構成することにした。
【００１４】
また、請求項６に係る本発明では、前記請求項５に係る本発明において、異常発生時に通信端末装置又は監視装置へ通報した後に、通信端末装置又は監視装置との間で双方向対話形式の通信ができるように構成することにした。
【００１５】
また、請求項７に係る本発明では、前記請求項５又は請求項６に係る本発明において、使用者の帰宅を検出した後に通信端末装置又は監視装置へ通報し、その後、通信端末装置又は監視装置との間で双方向対話形式の通信ができるように構成することにした。
【発明の効果】
【００１６】
そして、本発明では、以下に記載する効果を奏する。
【００１７】
すなわち、本発明では、屋内外の警備を行うセキュリティーシステムにおいて、屋内に設置して異常を検出する制御装置と警備会社に設置した監視装置と予め設定した通信端末装置とを電子通信回線網で接続し、制御装置は、異常発生時に監視装置へ通報する委託警備モードと、異常発生時に通信端末装置へ通報する自主防犯モードとに切り替え可能に構成しているために、委託警備の必要が少ない場合には自主防犯モードに切り替えておけばよく、その場合であっても予め設定した通信端末装置に異常の発生が通報されるため、その通報に基づいて自主的に防犯を行うことができるので、委託警備モードを解除した場合であっても防犯効果を確保することができる。
【００１８】
また、制御装置が委託警備モードに設定されている時間を計測し、その時間に応じた警備費用を課金するように監視装置を構成しているために、委託警備モードに設定されている時間に応じた警備費用だけが課金されるので、警備費用の低減を図ることができる。
【００１９】
また、異常発生時に通信端末装置又は監視装置へ通報した後に、通信端末装置又は監視装置との間で双方向対話形式の通信ができるように制御装置を構成しているために、異常の通報を受けた後に双方向対話形式の通信によって屋内の状況を音声で把握することができ、防犯効果を向上させることができる。
【００２０】
また、使用者の帰宅を検出した後に通信端末装置又は監視装置へ通報し、その後、通信端末装置又は監視装置との間で双方向対話形式の通信ができるように制御装置を構成しているために、帰宅の通報を受けた後に双方向対話形式の通信によって帰宅者を音声で確認することができ、防犯効果を向上させることができる。
【発明を実施するための最良の形態】
【００２１】
本発明に係るセキュリティーシステムは、屋内に設置して異常を検出する制御装置と警備会社に設置した監視装置と予め設定した通信端末装置とを電子通信回線網で接続したものである。
【００２２】
そして、制御装置は、異常発生時に監視装置へ通報する委託警備モードと、異常発生時に通信端末装置へ通報する自主防犯モードとに切り替え可能に構成している。
【００２３】
ここで、委託警備モードは、従来のセキュリティーシステムにおいて提供されている警備状態である。一方、自主防犯モードは、従来のセキュリティーシステムにおいては提供されていなかった警備状態であり、屋内外で異常が発生した時に、屋内で警報音を発したり警報ランプを点灯させるだけでなく、所定の通信端末装置へ異常発生を通報するようにした警備状態である。
【００２４】
そのため、たとえば、老人や子供を屋内に残して短時間だけ外出するような場合や、近くに短時間だけ外出するような場合には、自主防犯モードに設定しておけば屋内外での異常発生を通信端末装置によって認識することができ、直ちに帰宅したり警備会社へ連絡したりといった防犯行動が行えるようになっている。
【００２５】
このように、本発明に係るセキュリティーシステムでは、異常発生時に監視装置へ通報する委託警備モードと、異常発生時に通信端末装置へ通報する自主防犯モードとに切り替えられるようになっているために、委託警備の必要が少ない場合には自主防犯モードに切り替えておけばよく、その場合であっても予め設定した通信端末装置に異常の発生が通報されるため、その通報に基づいて自主的に防犯を行うことができるので、委託警備モードを解除した場合であっても防犯効果を確保することができる。
【００２６】
特に、本発明に係るセキュリティーシステムでは、制御装置が委託警備モードに設定されている時間を計測し、その時間に応じた警備費用を課金するように監視装置を構成することもできる。
【００２７】
この場合には、委託警備モードに設定されている時間に応じた警備費用だけが課金されるので、警備費用の低減を図ることができる。
【００２８】
また、本発明に係るセキュリティーシステムでは、異常発生時に通信端末装置又は監視装置へ通報した後に、通信端末装置又は監視装置との間で双方向対話形式の通信ができるように制御装置を構成することもできる。
【００２９】
従来のセキュリティーシステムでは、異常発生時に屋内や警備会社に通報されるだけであったために、警備会社から警備員が家屋に到着してはじめて警備が実行されることになり、警備員が到着するまでの間に被害が増大してしまうおそれがあった。
【００３０】
これに対して、異常発生時に通信端末装置又は監視装置へ通報した後に、通信端末装置又は監視装置との間で双方向対話形式の通信ができるようにした場合には、通報を受けた警備員や使用者が家屋内に居る家族に対して初期的な指示を行ったり、不法侵入者に対して威嚇を行ったりすることができ、或いは、屋内の状況を音声で把握することができ、防犯効果を向上させることができる。
【００３１】
また、本発明に係るセキュリティーシステムでは、使用者の帰宅を検出した後に通信端末装置又は監視装置へ通報し、その後、通信端末装置又は監視装置との間で双方向対話形式の通信ができるように構成することもできる。
【００３２】
従来のセキュリティーシステムでは、帰宅時に警備会社に通報されるだけであったために、帰宅者を音声で確認することができず、帰宅時の操作を不法に知り得た侵入者か否かを音声によって判断することができなかった。
【００３３】
これに対して、使用者の帰宅を検出した後に通信端末装置又は監視装置へ通報し、その後、通信端末装置又は監視装置との間で双方向対話形式の通信ができるようにした場合には、帰宅者を音声で確認することができ、警備員や家族が帰宅者と直接会話することによって不審者か否かを判断することができるので、防犯効果を向上させることができ、また、通信端末装置から帰宅者に対して帰宅時の指示などを与えることもできる。
【００３４】
以下に、本発明に係るセキュリティーシステムの具体的な形態について図面を参照しながら説明する。
【００３５】
図１に示すように、本発明に係るセキュリティーシステム１は、会社や家庭などの家屋２に設置した制御装置３と、警備会社４に設置した監視装置５と、セキュリティーシステム１を利用する使用者６が携帯する携帯電話機・通話機能付きＰＤＡといった携帯端末装置や固定電話機などの各種通信端末装置７とを一般電話回線やインターネットなどの電子通信回線網８を利用して接続している。
【００３６】
制御装置３は、屋内に設置され、屋内外での異常を検出し、異常発生を内外部へ通報するための装置であり、たとえば、火災を検出するための火災検出センサー９や玄関の扉10の異常開放を検出するための扉開閉センサー11や窓12の異常開放を検出するための窓開閉センサー13が接続され、これらのセンサー9,11,13によって異常を検出し、異常が発生した場合には、屋内に通報するとともに、警備会社４の監視装置５や使用者６の通信端末装置７へ通報するようになっている。なお、屋内外での異常を検出するセンサーとして車両の盗難を検出するものや生命反応を検出するものを用いることもできる。
【００３７】
この制御装置３は、図２及び図３に示すように、ＣＰＵやメモリーを組み込んだ制御回路36と送受信回路32とを内蔵したコントローラ14を有し、このコントローラ14にセンサー9,11,13をインターフェース15を介して接続している。
【００３８】
また、制御装置３は、コントローラ14に各種のボタン16〜22や各種のランプ23〜29をインターフェース30,31を介して接続している。
【００３９】
ここで、制御装置３の１番上に配置された火災警戒ボタン16は、火災発生時の警報を有効状態に設定するものであり、有効状態の場合には、火災表示ランプ23が点灯する。なお、制御装置３は、通常の動作時には火災警戒ボタン16による設定にかかわらずに常に２４時間体制で火災検出センサー９を用いて火災の検出を行うようになっているが、たとえば、利用時間に応じた警備費用を徴収するような特殊な動作時には、火災警戒ボタン16による設定が有効に働くようになっている。
【００４０】
また、制御装置３の上から２番目に配置された扉警戒ボタン17は、扉10の異常開放時の警報を有効状態に設定するものであり、有効状態の場合には、扉表示ランプ24が点灯する。
【００４１】
また、制御装置３の上から３番目に配置された窓警戒ボタン18は、窓12の異常開放時の警報を有効状態に設定するものであり、有効状態の場合には、窓表示ランプ25が点灯する。
【００４２】
また、制御装置３の上から４番目に配置されたモード切替ボタン19は、屋内の警備モードを委託警備モードと自主防犯モードのいずれかのモードに設定するものであり、委託警備モードに設定された場合には、モード表示ランプ26が点灯する。
【００４３】
また、制御装置３の上から５番目に配置された外出設定ボタン20は、外出警戒状態に設定するものであり、外出警戒状態に設定された場合には、外出表示ランプ27が点灯する。
【００４４】
また、制御装置３の上から６番目に配置された在宅設定ボタン21は、在宅警戒状態に設定するものであり、在宅警戒状態に設定された場合には、在宅表示ランプ28が点灯する。
【００４５】
また、制御装置３の１番下に配置された解除ボタン22は、制御装置３の設定状態を解除するものであり、解除状態に設定された場合には、解除表示ランプ29が点灯するとともに、外出表示ランプ27や在宅表示ランプ28が消灯する。
【００４６】
この解除ボタン22は、使用者６が帰宅した際に制御装置３に帰宅を通知するためにも使用され、その場合には、解除ボタン22の操作に続けて外出設定ボタン20と在宅設定ボタン21とを予め設定された順番で操作するようになっている。
【００４７】
さらに、制御装置３は、コントローラ14の送受信回路32にスピーカー33とマイク34と電話回線35を接続している。
【００４８】
そして、制御装置３は、各種設定ボタン16〜22によって設定された状態に応じて各種の警備を行えるようにしている。
【００４９】
すなわち、制御装置３は、モード切替ボタン19によって自主防犯モードと委託警備モードとに切り替えられ、外出設定ボタン20や在宅設定ボタン21によって外出時と在宅時とに切り替えられ、さらに、帰宅時に解除ボタン22によって帰宅の検出がされ、これによって、主に、（１）自主防犯モードの外出時に異常発生を検出した場合の警備動作、（２）自主防犯モードの外出時に帰宅を検出した場合の警備動作、（３）自主防犯モードの在宅時に異常発生を検出した場合の警備動作、（４）委託警備モードの外出時に異常発生を検出した場合の警備動作、（５）委託警備モードの外出時に帰宅を検出した場合の警備動作、（６）委託警備モードの在宅時に異常発生を検出した場合の警備動作、の６通りの警備動作を行うようにしている。
【００５０】
これらの警備動作について以下に説明する。
【００５１】
まず、（１）自主防犯モードの外出時に異常発生を検出した場合の警備動作について、図４を参照しながら説明する。
【００５２】
自主防犯モードの外出時には、制御装置３のモード切替ボタン19によって自主防犯モードに設定され、外出設定ボタン20によって外出状態に設定される。
【００５３】
制御装置３のモード切替ボタン19によって自主防犯モードに設定されると、制御装置３から監視装置５にモード切替信号が通信される。
【００５４】
その後、使用者６が外出すると、制御装置３のコントローラ14は、火災・扉・窓警戒ボタン16,17,18の設定状態にかかわらず全てのセンサー9,11,13によって異常発生の有無を検出する。
【００５５】
そして、いずれかのセンサー9,11,13によって異常の発生を検出した場合には、コントローラ14が送受信機32を一方向形式の通信状態で動作させて、通信端末装置７へ異常発生を通報する。この通報は、予め設定されたメッセージを音声又はメールで通信端末装置７へ送信する。なお、通報先は、１箇所の通信端末装置７でもよく、複数箇所の通信端末装置７としてもよい。また、通報が受信されない場合には、所定回数繰り返して通報を行ない、複数箇所に通報する場合には、順番に通報を行ない、いずれかに通報できた場合には通報を終了してもよく、また、全ての箇所に通報するようにしてもよい。
【００５６】
その後、制御装置３のコントローラ14は、送受信機32を双方向対話形式の通信状態で動作させて、制御装置３と通信端末装置７との間で通話ができるようにする。
【００５７】
なお、使用者６は、通信端末装置７から監視装置５に通信して、警備の委託を行うこともでき、警備の委託を受けて警備会社４が警備を実施することもできる。
【００５８】
次に、（２）自主防犯モードの外出時に帰宅を検出した場合の警備動作について、図５を参照しながら説明する。
【００５９】
自主防犯モードの外出時には、制御装置３のモード切替ボタン19によって自主防犯モードに設定され、外出設定ボタン20によって外出状態に設定される。
【００６０】
制御装置３のモード切替ボタン19によって自主防犯モードに設定されると、制御装置３から監視装置５にモード切替信号が通信される。
【００６１】
その後、使用者６が外出すると、制御装置３のコントローラ14は、火災・扉・窓警戒ボタン16,17,18の設定状態にかかわらず全てのセンサー9,11,13によって異常発生の有無を検出する。
【００６２】
そして、帰宅した場合には、帰宅者が解除ボタン22を操作し、その後、外出設定ボタン20と在宅設定ボタン21とを所定の順番で操作する。これにより、制御装置３は、帰宅を検出することになる。なお、制御装置３は、解除ボタン22の操作によって帰宅を検出するだけでなく、帰宅者が通信端末装置７や所定のリモートコントロール装置などによる遠隔操作信号によって帰宅を検出することもできる。
【００６３】
ここで、帰宅時に解除ボタン22に続けて操作する外出設定ボタン20と在宅設定ボタン21の順番は２種類設けられており、この操作の順番の相違によって、制御装置３から通信端末装置７への通知を行うか否かが決定される。たとえば、解除ボタン22に続けて外出設定ボタン20、在宅設定ボタン21、外出設定ボタン20の順に操作された場合には、以下に説明するように制御装置３から通信端末装置７へ帰宅の通知を行ない、解除ボタン22に続けて在宅設定ボタン21、外出設定ボタン20、在宅設定ボタン21の順に操作された場合には、制御装置３から通信端末装置７への通知を行わないようにする。
【００６４】
そして、帰宅を検出した場合には、コントローラ14が送受信機32を一方向形式の通信状態で動作させて、１箇所又は複数箇所の通信端末装置７へ帰宅を通報する。
【００６５】
その後、制御装置３のコントローラ14は、送受信機32を双方向対話形式の通信状態で動作させて、制御装置３と通信端末装置７との間で通話ができるようにする。
【００６６】
なお、使用者６は、通信端末装置７から監視装置５に通信して、警備の委託を行うこともでき、警備の委託を受けて警備会社４が警備を実施することもできる。
【００６７】
次に、（３）自主防犯モードの在宅時に異常発生を検出した場合の警備動作について、図６を参照しながら説明する。
【００６８】
自主防犯モードの在宅時には、制御装置３のモード切替ボタン19によって自主防犯モードに設定され、在宅設定ボタン21によって在宅状態に設定される。
【００６９】
制御装置３のモード切替ボタン19によって自主防犯モードに設定されると、制御装置３から監視装置５にモード切替信号が通信される。
【００７０】
その後、制御装置３のコントローラ14は、火災・扉・窓警戒ボタン16,17,18によって設定されたセンサー9,11,13によって異常発生の有無を検出する。
【００７１】
そして、いずれかのセンサー9,11,13によって異常の発生を検出した場合には、スピーカー33から警報音を鳴らすとともに、異常を検出したセンサー9,11,13に対応したランプ23,24,25を点滅させて屋内に警報を通知し、さらに、コントローラ14が送受信機32を一方向形式の通信状態で動作させて、１箇所又は複数箇所の通信端末装置７へ異常発生を通報する。この通報は、予め設定されたメッセージを音声又はメールで通信端末装置７へ送信する。
【００７２】
その後、制御装置３のコントローラ14は、送受信機32を双方向対話形式の通信状態で動作させて、制御装置３と通信端末装置７との間で通話ができるようにする。
【００７３】
なお、使用者６は、通信端末装置７から監視装置５に通信して、警備の委託を行うこともでき、警備の委託を受けて警備会社４が警備を実施することもできる。
【００７４】
次に、（４）委託警備モードの外出時に異常発生を検出した場合の警備動作について、図７を参照しながら説明する。
【００７５】
委託警備モードの外出時には、制御装置３のモード切替ボタン19によって委託警備モードに設定され、外出設定ボタン20によって外出状態に設定される。
【００７６】
制御装置３のモード切替ボタン19によって委託警備モードに設定されると、制御装置３から監視装置５にモード切替信号が通信され、監視装置５では、警備モードが自主防犯モードに切り替わるまでの間の時間を計測し、その時間に応じた警備費用を課金するようにしている。また、制御装置３の外出設定ボタン20によって外出状態に設定されると、制御装置３から監視装置５に外出設定信号が通信される。
【００７７】
その後、使用者６が外出すると、制御装置３のコントローラ14は、火災・扉・窓警戒ボタン16,17,18の設定状態にかかわらず全てのセンサー9,11,13によって異常発生の有無を検出する。
【００７８】
そして、いずれかのセンサー9,11,13によって異常の発生を検出した場合には、コントローラ14が送受信機32を一方向形式の通信状態で動作させて、監視装置５へ異常発生を通報する。
【００７９】
その後、制御装置３のコントローラ14は、送受信機32を双方向対話形式の通信状態で動作させて、制御装置３と監視装置５との間で通話ができるようにする。
【００８０】
そして、監視装置５は、警備会社４に通報して、警備会社４が警備を実施する。
【００８１】
なお、警備会社４は、監視装置５から１箇所又は複数箇所の通信端末装置７に異常発生を通報することもできる。
【００８２】
次に、（５）委託警備モードの外出時に帰宅を検出した場合の警備動作について、図８を参照しながら説明する。
【００８３】
委託警備モードの外出時には、制御装置３のモード切替ボタン19によって委託警備モードに設定され、外出設定ボタン20によって外出状態に設定される。
【００８４】
制御装置３のモード切替ボタン19によって委託警備モードに設定されると、制御装置３から監視装置５にモード切替信号が通信され、監視装置５では、警備モードが自主防犯モードに切り替わるまでの間の時間を計測し、その時間に応じた警備費用を課金するようにしている。また、制御装置３の外出設定ボタン20によって外出状態に設定されると、制御装置３から監視装置５に外出設定信号が通信される。
【００８５】
その後、使用者６が外出すると、制御装置３のコントローラ14は、火災・扉・窓警戒ボタン16,17,18の設定状態にかかわらず全てのセンサー9,11,13によって異常発生の有無を検出する。
【００８６】
そして、帰宅した場合には、帰宅者が解除ボタン22を操作し、その後、外出設定ボタン20と在宅設定ボタン21とを所定の順番で操作する。これにより、制御装置３は、帰宅を検出することになる。なお、制御装置３は、解除ボタン22の操作によって帰宅を検出するだけでなく、帰宅者が通信端末装置７や所定のリモートコントロール装置などによる遠隔操作信号によって帰宅を検出することもできる。
【００８７】
このように帰宅を検出した場合には、必要に応じてコントローラ14が送受信機32を一方向形式の通信状態で動作させて、監視装置５へ帰宅を通報する。
【００８８】
その後、制御装置３のコントローラ14は、送受信機32を双方向対話形式の通信状態で動作させて、制御装置３と監視装置５との間で通話ができるようにする。
【００８９】
そして、監視装置５は、必要に応じて警備会社４に通報して、警備会社４が警備を実施する。
【００９０】
なお、警備会社４は、監視装置５から１箇所又は複数箇所の通信端末装置７に帰宅を通報することもできる。
【００９１】
次に、（６）委託警備モードの在宅時に異常発生を検出した場合の警備動作について、図９を参照しながら説明する。
【００９２】
委託警備モードの在宅時には、制御装置３のモード切替ボタン19によって委託警備モードに設定され、在宅設定ボタン21によって在宅状態に設定される。
【００９３】
制御装置３のモード切替ボタン19によって委託警備モードに設定されると、制御装置３から監視装置５にモード切替信号が通信され、監視装置５では、警備モードが自主防犯モードに切り替わるまでの間の時間を計測し、その時間に応じた警備費用を課金するようにしている。また、制御装置３の外出設定ボタン20によって外出状態に設定されると、制御装置３から監視装置５に外出設定信号が通信される。
【００９４】
その後、制御装置３のコントローラ14は、火災・扉・窓警戒ボタン16,17,18によって設定されたセンサー9,11,13によって異常発生の有無を検出する。
【００９５】
そして、いずれかのセンサー9,11,13によって異常の発生を検出した場合には、スピーカー33から警報音を鳴らすとともに、異常を検出したセンサー9,11,13に対応したランプ23,24,25を点滅させて屋内に警報を通知し、さらに、コントローラ14が送受信機32を一方向形式の通信状態で動作させて、監視装置５へ異常発生を通報する。
【００９６】
その後、制御装置３のコントローラ14は、送受信機32を双方向対話形式の通信状態で動作させて、制御装置３と監視装置５との間で通話ができるようにする。
【００９７】
そして、監視装置５は、警備会社４に通報して、警備会社４が警備を実施する。
【００９８】
なお、警備会社４は、監視装置５から１箇所又は複数箇所の通信端末装置７に異常発生を通報することもできる。
【００９９】
以上に説明したように、上記セキュリティーシステム１では、異常発生時に監視装置５へ通報する委託警備モードと、異常発生時に通信端末装置７へ通報する自主防犯モードとに切り替えることができるために、委託警備の必要が少ない場合には自主防犯モードに切り替えておけばよく、その場合であっても予め設定した通信端末装置７に異常の発生が通報されるため、その通報に基づいて自主的に防犯を行うことができるので、委託警備モードを解除した場合であっても防犯効果を確保することができる。
【０１００】
また、委託警備モードに設定されている時間を計測し、その時間に応じた警備費用を課金するようにしているために、委託警備モードに設定されている時間に応じた警備費用だけが課金されるので、警備費用の低減を図ることができる。
【０１０１】
また、異常発生時に通信端末装置７又は監視装置５へ通報した後に、通信端末装置７又は監視装置５との間で双方向対話形式の通信ができるようにしているために、異常の通報を受けた後に双方向対話形式の通信によって屋内の状況を音声で把握することができ、防犯効果を向上させることができる。
【０１０２】
さらに、帰宅を検出した後に通信端末装置７又は監視装置５へ通報し、その後、通信端末装置７又は監視装置５との間で双方向対話形式の通信ができるようにしているために、帰宅の通報を受けた後に双方向対話形式の通信によって帰宅者を音声で確認することができ、防犯効果を向上させることができる。
【図面の簡単な説明】
【０１０３】
【図１】本発明に係るセキュリティーシステムの構成を示す説明図。
【図２】制御装置の構成を示すブロック図。
【図３】制御装置を示す正面図。
【図４】自主防犯モードの外出時に異常発生を検出した場合の警備動作を示す説明図。
【図５】自主防犯モードの外出時に帰宅を検出した場合の警備動作を示す説明図。
【図６】自主防犯モードの在宅時に異常発生を検出した場合の警備動作を示す説明図。
【図７】委託警備モードの外出時に異常発生を検出した場合の警備動作を示す説明図。
【図８】委託警備モードの外出時に帰宅を検出した場合の警備動作を示す説明図。
【図９】委託警備モードの在宅時に異常発生を検出した場合の警備動作を示す説明図。
【符号の説明】
【０１０４】
１  セキュリティーシステム                ２  家屋
３  制御装置                              ４  警備会社
５  監視装置                              ６  使用者
７  通信端末装置                          ８  電子通信回線網
９  火災検出センサー                      10  扉
11  扉開閉センサー                        12  窓
13  窓開閉センサー                        14  コントローラ
15  インターフェース                      16  火災警戒ボタン
17  扉警戒ボタン                          18  窓警戒ボタン
19  モード切替ボタン                      20  外出設定ボタン
21  在宅設定ボタン                        22  解除ボタン
23  火災表示ランプ                        24  扉表示ランプ
25  窓表示ランプ                          26  モード表示ランプ
27  外出表示ランプ                        28  在宅表示ランプ
29  解除表示ランプ                        30,31  インターフェース
32  送受信回路                            33  スピーカー
34  マイク                                35  電話回線
36  制御回路
【図１】
2007011669.tif 000003
【図２】
2007011669.tif 000004
【図３】
2007011669.tif 000005
【図４】
2007011669.tif 000006
【図５】
2007011669.tif 000007
【図６】
2007011669.tif 000008
【図７】
2007011669.tif 000009
【図８】
2007011669.tif 000010
【図９】
2007011669.tif 000011